(57)【要約】【課題】  引き戸を収納するための戸袋を形成する際に、戸袋を形成した内壁の壁厚を小さく抑えることができる引き戸取付部の内装構造を提供すること。【解決手段】  引き戸取付部の内装構造において、出入口Ｋ及び戸袋Ｄの輪郭を形成する外枠を、一対の柱材Ｈと横架材Ｂとから門型に構成すると共に、横架材Ｂ下側または床面上にはガイドレールＲを設けて、当該ガイドレールＲに引き戸Ｄをスライド自在に装着可能に構成する一方、前記戸袋Ｔについては、前記横架材Ｂと、前記柱材Ｈ間の床面上の一方の柱材Ｈ側に設けられた固定用下枠Ｆと、前記ガイドレールＲを挟んだ位置に対向立設された一対の壁パネル１とから構成し、更に各壁パネル１を、少なくとも上下枠を有する芯枠11と、この芯枠11の周囲に張り付けられた金属板12と、前記芯枠11及び金属板12の内側に充填された発泡樹脂材13とから構成した。【選択図】  図１
2017071947.tif 000002
【特許請求の範囲】
【請求項１】
引き戸(Ｄ)によって開閉される出入口(Ｋ)及び開いた引き戸(Ｄ)を収納可能な戸袋(Ｔ)を備えた引き戸取付部の内装構造であって、
前記出入口(Ｋ)及び戸袋(Ｄ)の輪郭を形成する外枠が、離間して立設された一対の柱材(Ｈ)(Ｈ)と、この柱材(Ｈ)(Ｈ)の上部同士を繋ぐ横架材(Ｂ)とから門型に構成されると共に、前記柱材(Ｈ)(Ｈ)間の横架材(Ｂ)下側または床面上にはガイドレール(Ｒ)が設けられて、当該ガイドレール(Ｒ)に引き戸(Ｄ)がスライド自在に装着可能となっている一方、
前記戸袋(Ｔ)については、前記横架材(Ｂ)と、前記柱材(Ｈ)(Ｈ)間の床面上の一方の柱材(Ｈ)側に設けられた固定用下枠(Ｆ)と、これら横架材(Ｂ)や固定用下枠(Ｆ)に固定された状態で、前記ガイドレール(Ｒ)を挟んだ位置に対向立設された一対の壁パネル(１)(１)とから構成されており、
更に前記戸袋(Ｔ)を構成する各壁パネル(１)(１)が、少なくとも上下枠を有する芯枠(11)と、この芯枠(11)の周囲に張り付けられた金属板(12)と、前記芯枠(11)及び金属板(12)の内側に充填された発泡樹脂材(13)とから構成されていることを特徴とする引き戸取付部の内装構造。
【請求項２】
固定用下枠(Ｆ)に金属製のチャンネル材が使用されて、当該チャンネル材の側壁部(Ｓ)を上側に向けた状態で固定用下枠(Ｆ)が床面上に固定されている一方、壁パネル(１)の下枠(11b)の底面部には溝部(Ｍ)が形成されて、この溝部(Ｍ)に前記固定用下枠(Ｆ)の側壁部(Ｓ)を挿入した状態で壁パネル(１)が固定用下枠(Ｆ)に取り付けられていることを特徴とする請求項１記載の引き戸取付部の内装構造。
【請求項３】
対向立設される壁パネル(１)(１)の一方が、出入口(Ｋ)から遠い側に配置される相対的に横幅の大きい第一パネル材(Ｗ1)と、出入口(Ｋ)に近い側に配置される相対的に横幅の小さい第二パネル材(Ｗ2)に分割して構成されていることを特徴とする請求項１または２に記載の引き戸取付部の内装構造。
【請求項４】
第二パネル材(Ｗ2)の下枠(11b)の底面に、角部まで切り欠いた溝部(Ｍ)が設けられると共に、この溝部(Ｍ)にチャンネル材から成る固定用下枠(Ｆ)の側壁部(Ｓ)を挿入した状態で、第二パネル材(Ｗ2)が固定用下枠(Ｆ)に対し出入口(Ｋ)側に引抜き可能に取り付けられていることを特徴とする請求項３記載の引き戸取付部の内装構造。
【請求項５】
壁パネル(１)の両側縁部のうち、出入口(Ｋ)側に向けて配置される側縁部において、上下枠間に木片ブロック(11c)(11c)…が所定間隔で配設、或いは上下枠を繋ぐ側枠が設けられると共に、この木片ブロック(11c)または側枠に止着部材(Ａ)が打ち込まれた状態で、戸袋側開口枠(２)が壁パネル(１)の側縁部に沿って固定されていることを特徴とする請求項１〜４の何れか一つに記載の引き戸取付部の内装構造。
【請求項６】
壁パネル(１)の両側縁部のうち、出入口(Ｋ)の反対側を向けて配置される側縁部において、上下枠間に木片ブロック(11c)(11c)…が所定間隔で配設、或いは上下枠を繋ぐ側枠が設けられると共に、この木片ブロック(11c)または側枠を介して柱材(Ｈ)に止着部材(Ａ)が打ち込まれた状態で、壁パネル(１)が柱材(Ｈ)に固定されていることを特徴とする請求項１〜５の何れか一つに記載の引き戸取付部の内装構造。
【発明の詳細な説明】
【技術分野】
【０００１】
本発明は、引き戸取付部の内装構造の改良、詳しくは、引き戸を収納する戸袋を形成できるだけでなく、戸袋が形成された内壁の壁厚を小さく抑えることができ、更に剛性の高い壁面を形成可能で、しかも、引き戸の取外しやガイドレールの修理等も容易に行える引き戸取付部の内装構造に関するものである。
【背景技術】
【０００２】
近年、建物内の部屋の出入口等に引き戸を建て込む構造として、開けた引き戸を壁内のスペースに収納する戸袋式の構造が周知となっている。また、この戸袋式の構造を採用することによって、出入口の外観をスッキリと見せることができるだけでなく、室内外の壁面を有効利用することもでき、また隣接する部屋の内壁を利用してガイドレールを設置することも可能となる。
【０００３】
ところが、従来においては、上記戸袋を形成する際に、収納スペース両側に複数の縦材を所定間隔で立て、その縦材に壁下地材(石膏ボード等)を張り付けていたため(特許文献１,２等参照)、どうしても戸袋部分の壁の厚みが他の部分よりも大きくなり易かった。一方、一面の内壁を戸袋部分の厚さに合わせると、今度は室内の有効面積が小さくなるという問題があった。
【０００４】
また従来においては、上記柱材や壁下地材と使わずに、内側に収納スペースが形成されたコ字型の金属枠を取り付けて戸袋を設ける構造も知られているが、この戸袋構造に関しては、戸袋部分の壁面が薄い金属パネルから形成されていたため、壁面を強く手で押すと金属パネルが湾曲して凹む等、壁面の剛性に問題があった。
【０００５】
そしてまた、従来においては、上記コ字型の金属枠の両側に壁下地材を張り付けて戸袋を設ける技術も公知となっているが(特許文献３参照)、この従来の戸袋構造では、引き戸を取り外す際や戸袋内のガイドレールの修理を行う際に、金属枠に張り付けた壁下地材を壊して金属枠を解体しなければならかったため、大がかりな工事が必要となった。
【先行技術文献】
【特許文献】
【０００６】
【特許文献１】特開平２００８−１８９５３号公報
【特許文献２】実開昭５０−１１００２６号公報
【特許文献３】実開昭５４−７２３５９号公報
【発明の概要】
【発明が解決しようとする課題】
【０００７】
本発明は、上記の如き問題に鑑みて為されたものであり、その目的とするところは、引き戸を収納するための戸袋を形成する際に、戸袋を形成した内壁の壁厚を小さく抑えることができ、また戸袋両側に剛性の高い壁面を形成することも可能で、しかも、設置した引き戸の取外しや戸袋内のガイドレールの修理等も容易に行える引き戸取付部の内装構造を提供することにある。
【課題を解決するための手段】
【０００８】
本発明者が上記課題を解決するために採用した手段を添付図面を参照して説明すれば次のとおりである。
【０００９】
即ち、本発明は、引き戸Ｄによって開閉される出入口Ｋ及び開いた引き戸Ｄを収納可能な戸袋Ｔを備えた引き戸取付部の内装構造において、
前記出入口Ｋ及び戸袋Ｄの輪郭を形成する外枠を、離間して立設された一対の柱材Ｈ・Ｈと、この柱材Ｈ・Ｈの上部同士を繋ぐ横架材Ｂとから門型に構成すると共に、前記柱材Ｈ・Ｈ間の横架材Ｂ下側または床面上にはガイドレールＲを設けて、当該ガイドレールＲに引き戸Ｄをスライド自在に装着可能に構成する一方、
前記戸袋Ｔについては、前記横架材Ｂと、前記柱材Ｈ・Ｈ間の床面上の一方の柱材Ｈ側に設けられた固定用下枠Ｆと、これら横架材Ｂや固定用下枠Ｆに固定された状態で、前記ガイドレールＲを挟んだ位置に対向立設された一対の壁パネル１・１とから構成し、
更に前記戸袋Ｔを構成する各壁パネル１・１を、少なくとも上下枠を有する芯枠11と、この芯枠11の周囲に張り付けられた金属板12と、前記芯枠11及び金属板12の内側に充填された発泡樹脂材13とから構成した点に特徴がある。
【００１０】
また本発明では、上記固定用下枠Ｆに金属製のチャンネル材を使用して、当該チャンネル材の側壁部Ｓを上側に向けた状態で固定用下枠Ｆを床面上に固定すると共に、壁パネル１の下枠11bの底面部に溝部Ｍを形成することによって、この溝部Ｍに前記固定用下枠Ｆの側壁部Ｓを挿入するだけで、壁パネル１を固定用下枠Ｆに簡単に取り付けることが可能となる。
【００１１】
また本発明では、上記対向立設される壁パネル１・１の一方を、出入口Ｋから遠い側に配置される相対的に横幅の大きい第一パネル材Ｗ1と、出入口Ｋに近い側に配置される相対的に横幅の小さい第二パネル材Ｗ2とに分割して構成することができ、これにより第二パネル材Ｗ2のみを取り外して、ガイドレールＲに対する引き戸Ｄの脱着を行うことができる。
【００１２】
また更に、上記のように壁パネル１を第一パネル材Ｗ1と第二パネル材Ｗ2とに分割して構成する場合には、第二パネル材Ｗ2の下枠11bの底面に、角部まで切り欠いた溝部Ｍを設けることによって、この溝部Ｍにチャンネル材から成る固定用下枠Ｆの側壁部Ｓを挿入した状態で、第二パネル材Ｗ2を固定用下枠Ｆに対し出入口Ｋ側に引抜き可能に取り付けることができる。
【００１３】
また本発明では、上記壁パネル１の両側縁部のうち、出入口Ｋ側に向けて配置される側縁部において、上下枠間に木片ブロック11c・11c…を所定間隔で配設、或いは上下枠を繋ぐ側枠を設ければ、この木片ブロック11cまたは側枠に止着部材Ａを打ち込んで、戸袋側開口枠２を壁パネル１の側縁部に沿って固定することが可能となる。
【００１４】
また本発明では、上記壁パネル１の両側縁部のうち、出入口Ｋの反対側を向けて配置される側縁部において、上下枠間に木片ブロック11c・11c…を所定間隔で配設、或いは上下枠を繋ぐ側枠を設ければ、この木片ブロック11cまたは側枠を介して柱材Ｈに止着部材Ａを打ち込んで、壁パネル１を柱材Ｈに固定することができる。
【発明の効果】
【００１５】
本発明では、引き戸を収納するための戸袋を、対向する一対の壁パネルを立設して構成すると共に、壁パネルの上下部を、上側に設けられた横架材と下側の床面上に設置された固定用下枠とに固定して構成したことにより、収納スペースの両側に縦材を設ける必要がないため、戸袋部分の内壁の厚みを小さく抑えることが可能となる。
【００１６】
しかも、上記壁パネルについては、金属パネルを芯枠の周囲に張り付け、更にその内側に発泡樹脂材を充填して構成しているため、金属パネル単体よりも剛性の高い壁面を形成することができる。加えて、壁パネルの内側に発砲樹脂材を充填したことによって、壁パネルの重量が抑えられるだけでなく、断熱性能も向上する。
【００１７】
また更に、設置した引き戸の取外しや戸袋内のガイドレールの修理を行う際には、上記対向立設した壁パネルの一方を、横架材及び固定用下枠から取り外すだけでよいため、壁下地材を壊すような大がかりな工事は不要で作業を簡単に行うことができる。
【００１８】
したがって、本発明により、戸袋により引き戸を見栄えの良く設置できるだけでなく、有効面積を大きく削らずに戸袋を設計することができ、しかも、施工後に引き戸のメンテナンスを容易に行える引き戸取付部の内装構造を提供できることから、本発明の実用的利用価値は頗る高い。
【図面の簡単な説明】
【００１９】
【図１】本発明の実施例１における引き戸取付部の内装構造を表す斜視図及びＸ1-Ｘ1’断面図である。
【図２】本発明の実施例１における引き戸取付部の内装構造を表す斜視図及びＸ2-Ｘ2’断面図である。
【図３】本発明の実施例１における引き戸取付け部の外枠構造および戸袋構造を表す斜視図及び分解斜視図である。
【図４】本発明の実施例１における壁パネルの構造を表す分解斜視図及びＰ1-Ｐ1’断面図である。
【図５】本発明の実施例１における壁パネルの構造を表す分解斜視図及びＱ1-Ｑ1’断面図である。
【図６】本発明の実施例１における壁パネルの取付け構造を表す説明斜視図及びＹ1-Ｙ1’断面図である。
【図７】本発明の実施例１における引き戸の取付け方法を表す説明斜視図である。
【図８】本発明の実施例２における引き戸取付部の内装構造を表す正面図及びＸ3-Ｘ3’断面図である。
【図９】本発明の実施例３における引き戸取付部の内装構造を表す正面図及びＸ4-Ｘ4’断面図である。
【図１０】本発明の実施例４における引き戸取付け部の戸袋構造を表す説明斜視図である。
【図１１】本発明の実施例４における引き戸取付け部の戸袋構造を表す出入口上部、第一パネル材上部、及び第二パネル材上部の縦断面図である。
【図１２】本発明の実施例４における壁パネルの内部構造を表す分解斜視図及びＰ2-Ｐ2’断面図である。
【図１３】本発明の実施例４における第一パネル材の内部構造を表す分解斜視図である。
【図１４】本発明の実施例４における第二パネル材の内部構造を表す分解斜視図及びＱ2-Ｑ2’断面図である。
【発明を実施するための形態】
【００２０】
『実施例１』
本発明の実施例１について、図１〜図７に基いて以下に説明する。なお同図において、符号Ｄで指示するものは、引き戸であり、また符号Ｋで指示するものは、出入口である。また符号Ｔで指示するものは、戸袋であり、符号Ｈで指示するものは、柱材である。また符号Ｂで指示するものは、横架材であり、符号１で指示するものは、壁パネルである。
【００２１】
「引き戸取付部の内装構造」
[１]出入口と戸袋の輪郭を形成する外枠
本実施例の引き戸取付部の内装構造について以下に説明する。まず図１及び図２に示すように、本実施例の引き戸取付け部は、引き戸Ｄによって開閉される出入口Ｋ、及び開いた引き戸Ｄを収納するための戸袋Ｔを備えた構造となっており、更に出入口Ｋと戸袋Ｔの輪郭を形成する外枠を、図３(a)に示すように、離間して立設された一対の柱材Ｈ・Ｈと、この柱材Ｈ・Ｈの上部同士を繋ぐ横架材Ｂとから門型に構成している。また本実施例では、一方の柱材Ｈに戸当り側開口枠Ｖを取り付けている。
【００２２】
[２]引き戸を装着するためのガイドレール
また、上記柱材Ｈ・Ｈ間に設けた横架材Ｂの下側には、引き戸Ｄをスライド自在に装着するためのガイドレールＲを設けて、これに吊りレール用の引き戸Ｄ(上側にランナーを備えたもの)を装着している。但し、ガイドレールＲを床面上に設けて床レール用の引き戸Ｄ(下側にランナーを備えたもの)を装着することもできる。また必要に応じて、ガイドレールＲの反対側に引き戸Ｄの振れ止めを付設することもできる(図示せず)。
【００２３】
[３]戸袋を構成する壁パネル
一方、上記引き戸Ｄを収納する戸袋Ｔは、図３(b)に示すように、ガイドレールＲを挟んだ位置に一対の壁パネル１・１を対向立設して形成している。また本実施例では、図２(a)(b)に示すように対向立設される壁パネル１・１の一方を、出入口Ｋから遠い側に配置される相対的に横幅の大きい第一パネル材Ｗ1と、出入口Ｋに近い側に配置される相対的に横幅の小さい第二パネル材Ｗ2とに分割して構成している(理由は後述する)。
【００２４】
[４]各壁パネルの構造
また、上記壁パネル１・１…の内、分割されていない壁パネル１については、図４(a)に示すように、上枠11a及び下枠11bを含む芯枠11の周囲に金属板12を張り付けて一体化すると共に、図４(b)に示すように、芯枠11と金属板12の内側に発泡樹脂材13を充填して構成している。
【００２５】
また本実施例では、図４(a)に示すように、下枠11bの底面側に長手方向の溝部Ｍを形成すると共に、壁パネル１の両側縁部のうち、出入口Ｋの反対側を向けて配置される側縁部において、上下枠間に複数の木片ブロック11c・11c…を所定間隔で配設している(理由は後述する)。また本実施例では、上記芯枠11を構成する上枠11a、下枠11c及び木片ブロック11cの外側を向いた端面に、それぞれ切欠部Ｎを設けている(理由は後述する)。
【００２６】
一方、上記壁パネル１・１…の内、分割された第一パネル材Ｗ1については、図４(a)(b)と同様の構造を採用している。他方、第二パネル材Ｗ2は、図５(a)に示すように、芯枠11を上枠11aと下枠11bのみから構成すると共に、下枠11bの底面部に、角部まで切り欠いた溝部Ｍを設けている(理由は後述する)。また金属板12・12の内側に発泡樹脂材13を充填する構造については、図５(b)に示すように、第一パネル材Ｗ1と同様である。
【００２７】
[５]壁パネルの芯枠の材質・寸法
また、上記壁パネル１を構成する芯枠11の材料に関しては、一定以上の強度を有し、かつ、切削加工も容易に行える木材または木質材料を使用することができ、具体的には無垢材や集成材、合板等を好適に使用できる。また芯枠11の寸法についても、求められる強度に合わせて適宜変更できる。
【００２８】
[６]壁パネルの金属板の材質・形状・張付け構造
また、上記壁パネル１を構成する金属板12・12の材質については、本実施例では加工性や強度等を考慮してスチール板を材料として使用しているが、それ以外のアルミニウム板やステンレス板等も使用できる。また金属板12・12の上部および側縁部には、止着部材を挿通するための小孔を設けておくのが望ましい。また第二パネル材Ｗ2に張り付ける金属板12の下部には、溝部Ｍに連通する凹部を形成しておく必要がある。
【００２９】
また上記金属板12・12の張付け構造に関しては、本実施例では、図４及び図５に示すように、二枚の金属板12・12をハゼ部12a・12aで連結して芯枠11の周囲に張り付けており、形成されたハゼ部12aが、上記芯枠11の切欠部Ｎ内に収まるようにしている。なおハゼ部12aに関しては、図示した以外のハゼ構造を採用することもでき、また接着等の方法で芯枠11の周囲に金属板12を張り付けることもできる。
【００３０】
[７]壁パネルの発泡樹脂材
次に上記壁パネル１を構成する発泡樹脂材13に関しては、図４及び図５に示す上枠11aに形成された注入孔Ｊから、芯枠11の内側に原液を注入して発泡成形できるもの(好適にはウレタン樹脂)を使用することができる。但し、全ての発泡樹脂材13を上記注入型のものを使用する必要はなく、ウレタン発泡樹脂等を注入する前にブロック状の発泡樹脂体を金属板12・12に貼り付けて矩形枠体11の内側に予め配置しておくこともできる。
【００３１】
[８]壁パネルの取付け構造
次に、上記壁パネル１の取付け構造について説明する。本実施例では、図３(a)(b)に示すように、柱材Ｈ・Ｈ間の床面上の一方の柱材Ｈ側に、金属製のチャンネル材から成る固定用下枠Ｆを、チャンネル材の側壁部Ｓが上側を向いた状態で床面上に固定している。そして、図６(a)(b)に示すように、壁パネル１の下枠11bに形成された溝部Ｍに、固定用下枠Ｆの側壁部Ｓを挿入して壁パネル１を固定用下枠Ｆに取り付けている。
【００３２】
また壁パネル１の上部に関しては、図６(a)(b)に示すように、上枠11aを介して横架材Ｂに止着部材Ａを打ち込んで固定している。また本実施例では、図６(a)に示すように、第一パネル材Ｗ1の一方の側縁部についても、止着部材Ａ・Ａ…を木片ブロック11c・11c…を介して柱材Ｈに打ち込んで固定している。なお図示されていない反対側の壁パネル１についても同様の方法により柱材Ｈに固定している。
【００３３】
一方、第二パネル材Ｗ2下部の固定用下枠Ｆに対する取付け構造、及び第二パネル材Ｗ2上部の横架材Ｂに対する取付け構造に関しても、図６(b)に図示された第一パネル材Ｗ1と同様であるが、柱材Ｈに対する固定は行わない。また第二パネル材Ｗ2の下枠11bには、角部まで切り欠いた溝部Ｍが底面部に設けてられているため、横架材Ｂに固定する前の状態において第二パネル材Ｗ2は出入口Ｋ側にスライド自在となっている。
【００３４】
「引き戸の取付け方法」
次に、ガイドレールＲに対する引き戸Ｄの取付け方法について以下に説明する。まず図６(a)に示す第二パネル材Ｗ2の張り付け前の状態において、引き戸Ｄを、図７(a)に示すように第二パネル材Ｗ2の張り付け位置に向けてガイドレールＲと直交するように差し込み、ガイドレールＲに取り付けられたランナーを引き戸Ｄの一端側の上部に装着する。そして、引き戸Ｄを出入口Ｋ側に回転させて、もう一方のランナーを引き戸Ｄの他端側の上部に装着することにより、引き戸ＤをガイドレールＲに取り付けることができる。
【００３５】
「引き戸の取外し方法」
次に、ガイドレールＲからの引き戸Ｄの取外し方法について以下に説明する。まず図１に示す状態から第二パネル材Ｗ2のみを取り外して図６(a)に示す状態とする。この際、第二パネル材Ｗ2の下部は、図７(b)に示すように、固定用下枠Ｆに対し出入口側に引抜き可能に取り付けられているため、簡単に取り外せる。そして、引き戸Ｄの戸当り側の端部に装着されたランナーを取り外した後、引き戸Ｄを回転させ、更に戸袋側の端部に装着されたランナーも取り外せば、引き戸ＤをガイドレールＲから取り外すことができる。
【００３６】
『実施例２』
「開口枠を備えた戸袋構造」
次に本発明の実施例２について図８に基いて以下に説明する。この実施例では、図８(a)(b)に示すように、戸袋の対向する壁パネル１・１(一方は第二パネル材Ｗ2)の側縁部にそれぞれ戸袋側開口枠２・２を設けている。またこれらの壁パネル１・１においては、戸袋側開口枠２を止着部材Ａ・Ａで固定するために、一方の側縁部に上下枠を繋ぐ側枠11d・11dを設けている。
【００３７】
「クロス張り・巾木取付け構造」
また本実施例では、戸袋の壁パネル１・１とこれに隣接する壁下地材(プラスターボードや石膏ボード等)とによって面一な壁面を形成して、この壁面に連続的にクロス張りを行うと共に、壁面の下側に巾木Ｕを連続的に取り付けている。一方、上記第二パネル材Ｗ2については、取り外しが簡単に行えるようにクロス張りを行わずに構成している。また本実施例では、第一パネル材Ｗ1と第二パネル材Ｗ2の厚みを揃えてこれらの下側に巾木Ｕを連続的に取り付けている。
【００３８】
『実施例３』
「厚みの異なる壁パネルを用いた戸袋構造」
次に本発明の実施例３について図９に基いて以下に説明する。この実施例では、図９(a)(b)に示すように、戸袋を構成する壁パネル１・１の内、第二パネル材Ｗ2のみ他よりも厚みの大きいパネル材を使用している。また本実施例では、この厚みの大きい第二パネル材Ｗ2の側縁部に開口枠を取り付けずに、側縁部内側に棒状の隙間隠し材３を取り付けて外側から見える戸袋の隙間を小さくしている。
【００３９】
「クロス張り・巾木取付け構造」
また本実施例においても、実施例２と同様、戸袋の壁パネル１・１とこれに隣接する壁下地材とによって形成される面一な壁面に、クロス張りと巾木Ｕの取付けを行っている。一方、上記第二パネル材Ｗ2は、クロスなしで仕上げることにより簡単に取り外しが行えるようにしている。また本実施例では、厚みを大きくした第二パネル材Ｗ2には巾木Ｕを取り付けずに、第一パネル材Ｗ1にのみ巾木Ｕを取り付けている。
【００４０】
『実施例４』
「横架材が天上パネルより上側に配置される場合の戸袋構造」
次に本発明の実施例４について図１０から図１４に基いて以下に説明する。この実施例４では、図１０(a)(b)及び図１１(a)〜(c)に示すように、横架材Ｂが天井パネルＣよりも上側に配置される場合において、戸袋Ｔ側に下向きの突出部Ｅを備えた固定用上枠Ｇを横架材Ｂにビス留めして固定すると共に、第二パネル材Ｗ2の上枠11a上面に角部まで切り欠いた溝部Ｍを形成して、この溝部Ｍに前記突出部Ｅを差し込んだ状態で第二パネル材Ｗ2を固定している。
【００４１】
これにより、天井パネルＣを外さなくても第二パネル材Ｗ2を出入口Ｋ側に引き抜くだけで簡単に取り外すことが可能となる。なお本実施例では、上記固定用上枠Ｇとして、図１０(b)及び図１１(c)に示すように、壁パネル１の半分程度の厚みの板材にこの板材よりも長い金属板を固定したものを使用しているが、これに限らず、例えば屈曲角が９０°のＺ型を成す金属板等を固定用上枠Ｇとして使用することもできる。また第二パネル材Ｗ2を出入口Ｋ側に引き抜くために、第二パネル材Ｗ2の金属板12の上部にも溝部Ｍに連通する凹部を形成しておく必要がある。
【００４２】
一方、本実施例では、図１０(b)に示すように、ガイドレールＲが固定される横架材Ｂに、戸袋Ｔ側よりも出入口Ｋ側の方が壁パネル１・１の厚み分だけ横幅が大きい板材を使用している。これにより図１１(a)(b)に示すように、天井パネルＣの寸法を戸袋Ｔ側と出入口Ｋ側で合わせることができるため、天井パネルＣの形状加工を最低限に抑えることができる。
【００４３】
「壁パネルの構造」
また本実施例では、対向立設する戸袋Ｔの壁パネル１の一方を、図１２(a)に示すように左右両側に複数の木片ブロック11c・11c…を配置・固定して構成している。そして図１２(a)中、左側に配置された木片ブロック11c・11c…を、壁パネル１を柱材Ｈに固定する際に止着部材Ａを打ち込んで使用すると共に、右側に配置された木片ブロック11c・11c…についても、図１２(b)に示すように戸袋側開口枠２(見切り枠)を壁パネル１に取り付ける際に止着部材Ａを打ち込んで使用している。
【００４４】
また本実施例では、対向立設する戸袋Ｔの壁パネル１の他方側を、第一パネル材Ｗ1と第二パネル材Ｗ2に分割して構成すると共に、第一パネル材Ｗ1及び第二パネル材Ｗ2を、図１３及び図１４(a)に示すように左右一方(第一パネル材Ｗ1の出入口Ｋから遠い側、第二パネル材Ｗ2の出入口Ｋから近い側)に複数の木片ブロック11c・11c…を配置・固定した構造としている。
【００４５】
そして、第一パネル材Ｗ1の木片ブロック11c・11c…を、第一パネル材Ｗ1を柱材Ｈに固定する際に止着部材Ａを打ち込んで使用すると共に、第二パネル材Ｗ2の木片ブロック11c・11c…を、図１４(b)に示すように戸袋側開口枠２(見切り枠)を壁パネル１に取り付ける際に止着部材Ａを打ち込んで使用している。また本実施例では、壁パネル１の上枠11a及び下枠11bに、発泡樹脂材13を注入する際に使用するガス抜き孔11e・11eをそれぞれ設けている。
【００４６】
本発明は、概ね上記のように構成されるが、本発明は図示の実施形態に限定されるものでは決してなく、「特許請求の範囲」の記載内において種々の変更が可能であって、例えば、上記戸袋Ｔを構成する一対の壁パネル１・１については、どちらも分割せずに構成することもでき、また分割する場合であっても、第一パネル材Ｗ1と第二パネル材Ｗ2の横幅は適宜調整できる。
【００４７】
また、上記戸袋Ｔを壁パネル１・１の取付け構造に関しても、柱材Ｈに固定せずに横架材Ｂと固定用下枠Ｆにのみ固定することもできる。また壁パネル１の芯枠11に関しても、木片ブロック11cと上下枠を繋ぐ側枠11dとを使い分けることもできる。また更に、戸当り側開口枠Ｖや戸袋側開口枠２には、プラスチック製や木製の枠材を使用することができ、何れのものも本発明の技術的範囲に属する。
【産業上の利用可能性】
【００４８】
一般的に、住宅や病院等において、戸袋式の引き戸構造は外観上および使用上のメリットが多いため、需要は大きい。そのような中で、本発明の引き戸取付部の内装構造は、壁の厚みの問題を解消して設計が容易となるだけでなく、施工後のメンテナンスの容易性も改善できる実用的な技術であるため、その産業上の利用価値は非常に高い。
【符号の説明】
【００４９】
１  壁パネル
11  芯枠
11a  上枠
11b  下枠
11c  木片ブロック
11d  側枠
11e  ガス抜き孔
12  金属板
12a  ハゼ部
13  発砲樹脂材
２  戸袋側開口枠
３  隙間隠し材
Ｄ  引き戸
Ｋ  出入口
Ｔ  戸袋
Ｈ  柱材
Ｂ  横架材
Ｒ  ガイドレール
Ｆ  固定用下枠
Ｓ  側壁部
Ｍ  溝部
Ｎ  切欠部
Ａ  止着部材
Ｖ  戸当り側開口枠
Ｊ  注入口
Ｇ  固定用上枠
Ｅ  突出部
Ｃ  天井位置
Ｕ  巾木
【図１】
2017071947.tif 000003
【図２】
2017071947.tif 000004
【図３】
2017071947.tif 000005
【図４】
2017071947.tif 000006
【図５】
2017071947.tif 000007
【図６】
2017071947.tif 000008
【図７】
2017071947.tif 000009
【図８】
2017071947.tif 000010
【図９】
2017071947.tif 000011
【図１０】
2017071947.tif 000012
【図１１】
2017071947.tif 000013
【図１２】
2017071947.tif 000014
【図１３】
2017071947.tif 000015
【図１４】
2017071947.tif 000016